(57)【要約】【課題】ペットや乳児の体重を選択設定が不要で簡単にしかも短時間に測定し、飼い主や母親などの体重も同時に測定し、２種類の体重の時系列的な変化を同時に観察する。【解決手段】歪計４０１及び４０２と抵抗４０３及び４０４とからなるブリッジ回路、差動増幅器４０５及びＡＤＣ４０６からなる体重測定手段の１回目の体重測定により得られた第１の重量測定値と、２回目の体重測定により得られた第２の重量測定値とをＲＡＭ４１０が記憶する。ＣＰＵ４０７は第１の重量測定値と第２の重量測定値とを比較して小さい方の重量測定値を第１の体重とし、第１の重量測定値と第２の重量測定値との差分の絶対値を第２の体重とする。また、ＣＰＵ４０７は、それら第１の体重及び第２の体重を液晶パネル４１４に同時に表示する。【選択図】図４
2013113826.tif 000002
【特許請求の範囲】
【請求項１】
体重測定手段と、
前記体重測定手段による１回目の体重測定により得られた第１の重量値を記憶する第１の記憶手段と、
前記体重測定手段による２回目の体重測定により得られた第２の重量値を記憶する第２の記憶手段と、
前記第１の重量値と前記第２の重量値とを比較して小さい方の重量値を第１の体重とし、前記第１の重量値と前記第２の重量値との差分の絶対値を第２の体重とする体重決定手段と
を有することを特徴とする体重測定装置。
【請求項２】
前記体重測定手段が測定する重量測定値を所定時間毎にサンプルし、このサンプルによって得られる所定サンプル数の前記重量測定値の変動幅を検出する変動幅検出手段と、
前記変動幅が、所定値以下になった時点の重量測定値を前記第１の重量値と判定して前記第１の記憶手段に記憶させる第１の判定手段と、
前記第１の判定手段による判定後、前記第１の重量値に前記所定値よりも大きい閾値を加算した値を上回った後、または前記第１の重量値から前記閾値を減算した値を前記重量測定値が下回った後、前記変動幅が再び前記所定値以下になった時点の重量測定値を前記第２の重量値と判定して前記第２の記憶手段に記憶させる第２の判定手段と
を更に有することを特徴とする請求項１記載の体重測定装置。
【請求項３】
前記第１の記憶手段に前記第１の重量値を記憶したときに第１の重量測定終了を報知する第１の報知手段と、
前記第２の記憶手段に前記第２の重量値を記憶したときに第２の重量測定終了を報知する第２の報知手段と
を更に有することを特徴とする請求項１又は２記載の体重測定装置。
【請求項４】
前記第１の記憶手段に前記第１の重量値を記憶することで測定を終了する、１種類の体重測定測定モードと、前記第１及び第２の記憶手段にそれぞれ前記第１及び第２の重量値を記憶することで測定を終了する、２種類の体重測定モードとを切り替える手段を有することを特徴とする請求項１乃至３のうちいずれか一項記載の体重測定装置。
【請求項５】
前記体重決定手段により前記第１の体重として決定された重量値の測定日時データを、前記第１の体重と対応付けて保存すると共に、前記第１の重量値及び前記第２の重量値のうち前記第１の体重として決定された重量値でない方の重量値の測定日時データを、前記第２の体重と対応付けて保存する保存手段と、
前記保存手段に保存された前記第１の体重及びその測定日時データと、前記第２の体重及びその測定日時データとを同時に表示する表示手段と
を更に有することを特徴とする請求項１乃至４のうちいずれか一項記載の体重測定装置。
【請求項６】
前記体重決定手段により前記第１の体重として決定された重量値の第１の測定日時データを、前記第１の体重と対応付けて保存すると共に、前記第１の重量値及び前記第２の重量値のうち前記第１の体重として決定された重量値でない方の重量値の第２の測定日時データを、前記第２の体重と対応付けて保存する保存手段と、
前記第１の体重の時間の経過に応じた第１の変化率と、前記第２の体重の時間の経過に応じた第２の変化率とを計算する変化率計算手段と、
前記第１の体重変化率を前記第１の測定日時データと対応付け、前記第２の体重変化率を前記第２の測定日時データと対応付けて、それぞれ同時に表示する表示手段と
を更に有することを特徴とする請求項１乃至５のうちいずれか一項記載の体重測定装置。
【請求項７】
体重測定手段による１回目の体重測定により第１の重量値を第１の記憶手段に記憶するステップと、
前記体重測定手段による２回目の体重測定により第２の重量値を第２の記憶手段に記憶するステップと、
前記第１の重量値と前記第２の重量値とを比較して小さい方の重量値を第１の体重とし、前記第１の重量値と前記第２の重量値との差分の絶対値を第２の体重とする体重決定ステップと
を含むことを特徴とする体重測定方法。
【発明の詳細な説明】
【技術分野】
【０００１】
本発明は体重測定装置及び体重測定方法に係り、特にペットや乳児の体重を測定する体重測定装置に関する。
【背景技術】
【０００２】
一般家庭でペットの体重を測定する場合、飼い主がペットを抱いて重量測定を行った後で、飼い主単独の体重を測定して、引き算によりペットの体重を求める方法が使われることが多い。また、一般家庭で乳児の体重を測定する場合、母親が乳児を抱いて重量測定を行った後で、母親単独の体重を測定して、引き算により乳児の体重を求める方法が使われることが多い。
【０００３】
特許文献１には、乳児の体重を測定する場合、母親が単独で電子体重計に乗って体重を測定してその第１の測定値を記憶し、続いて母親が乳児を抱いて電子体重計に乗って体重を測定してその第２の測定値を記憶し、記憶した第２の測定値から第１の測定値を減算することで乳児の体重を自動測定する体重測定装置が開示されている。
【０００４】
また、ペットなどでも豊食により肥満になりダイエットのための体重測定の必要性が高まり、更に飼い主も肥満によりダイエットための体重測定が必要になる場合が多くなった。この時、同時に計測し、双方の体重変化を同時に比較して、ダイエットへのモチベーションを確保する要望も高まっている。
【先行技術文献】
【特許文献】
【０００５】
【特許文献１】特開２０１０−０９１５３９号公報
【発明の概要】
【発明が解決しようとする課題】
【０００６】
しかしながら、一般家庭でペットの体重を測定する場合は、ペット及び飼い主それぞれの体重を個別に測定し、乳児の体重を測定する場合は、母親及び乳児それぞれの体重を個別に測定した後、それぞれの体重を引き算して目的のペットや乳児の体重を求める必要があり、効率が悪く、使いにくいという課題がある。また、ペット及び飼い主の体重変化を同時に見て比較することができない。また、特許文献１に記載された体重測定装置では、目的の乳児の体重は自動計算により求められるが、計測者が母親及び乳児のどちらの体重を計測するかを設定する必要があり、使いにくいという課題がある。
【０００７】
本発明は以上の点に鑑みなされたもので、ペットや乳児の体重を簡単に短時間に測定できる体重測定装置及び体重測定方法を提供することを目的とする。
【課題を解決するための手段】
【０００８】
上記目的を達成するため、本発明の体重測定装置は、体重測定手段と、体重測定手段による１回目の体重測定により得られた第１の重量値を記憶する第１の記憶手段と、体重測定手段による２回目の体重測定により得られた第２の重量値を記憶する第２の記憶手段と、第１の重量値と第２の重量値とを比較して小さい方の重量値を第１の体重とし、第１の重量値と第２の重量値との差分の絶対値を第２の体重とする体重決定手段とを有することを特徴とする。
【０００９】
また、上記の目的を達成するため、本発明の体重測定装置は、体重測定手段が測定する重量測定値を所定時間毎にサンプルし、このサンプルによって得られる所定サンプル数の重量測定値の変動幅を検出する変動幅検出手段と、変動幅が、所定値以下になった時点の重量測定値を第１の重量値と判定して第１の記憶手段に記憶させる第１の判定手段と、第１の判定手段による判定後、第１の重量値に所定値よりも大きい閾値を加算した値を上回った後、または第１の重量値から閾値を減算した値を重量測定値が下回った後、変動幅が再び所定値以下になった時点の重量測定値を第２の重量値と判定して第２の記憶手段に記憶させる第２の判定手段とを更に有することを特徴とする。
【００１０】
また、上記の目的を達成するため、本発明の体重測定装置は、第１の記憶手段に第１の重量値を記憶したときに第１の重量測定終了を報知する第１の報知手段と、第２の記憶手段に第２の重量値を記憶したときに第２の重量測定終了を報知する第２の報知手段とを更に有することを特徴とする。
【００１１】
また、上記の目的を達成するため、本発明の体重測定装置は、第１の記憶手段に第１の重量値を記憶することで測定を終了する、１種類の体重測定測定モードと、第１及び第２の記憶手段にそれぞれ第１及び第２の重量値を記憶することで測定を終了する、２種類の体重測定モードとを切り替える手段を有することを特徴とする。
【００１２】
また、上記の目的を達成するため、本発明の体重測定装置は、体重決定手段により第１の体重として決定された重量値の測定日時データを、第１の体重と対応付けて保存すると共に、第１の重量値及び第２の重量値のうち第１の体重として決定された重量値でない方の重量値の測定日時データを、第２の体重と対応付けて保存する保存手段と、保存手段に保存された第１の体重及びその測定日時データと、第２の体重及びその測定日時データとを同時に表示する表示手段とを更に有することを特徴とする。
【００１３】
また、上記の目的を達成するため、本発明の体重測定装置は、体重決定手段により第１の体重として決定された重量値の第１の測定日時データを、第１の体重と対応付けて保存すると共に、第１の重量値及び第２の重量値のうち第１の体重として決定された重量値でない方の重量値の第２の測定日時データを、第２の体重と対応付けて保存する保存手段と、第１の体重の時間の経過に応じた第１の変化率と、第２の体重の時間の経過に応じた第２の変化率とを計算する変化率計算手段と、第１の体重変化率を第１の測定日時データと対応付け、第２の体重変化率を第２の測定日時データと対応付けて、それぞれ同時に表示する表示手段とを更に有することを特徴とする。
【００１４】
更に、上記の目的を達成するため、本発明の体重測定方法は、体重測定手段による１回目の体重測定により第１の重量値を第１の記憶手段に記憶するステップと、体重測定手段による２回目の体重測定により第２の重量値を第２の記憶手段に記憶するステップと、第１の重量値と第２の重量値とを比較して小さい方の重量値を第１の体重とし、第１の重量値と第２の重量値との差分の絶対値を第２の体重とする体重決定ステップとを含むことを特徴とする。
【発明の効果】
【００１５】
本発明によれば、ペットや乳児の体重を簡単に短時間に測定できる。また、飼い主や母親などの体重も同時に測定できる。更には、２種類の体重の時系列的な変化を同時に観察できる。
【図面の簡単な説明】
【００１６】
【図１】本発明の体重測定装置の一実施の形態の上面の概観図である。
【図２】本発明の体重測定装置における重さを検出する機構部の一例の概略図である。
【図３】本発明の体重測定装置における重さを検出する機構部の他の例の概略図である。
【図４】本発明の体重測定装置の一実施の形態の回路系統図である。
【図５】体重測定の説明のための測定値の変化の一例を示す図である。
【図６】体重測定の説明のための測定値の変化の他の例を示す図である。
【図７】ＣＰＵによる変動幅と平均値の測定動作を説明するブロック図である。
【図８】本発明の体重測定装置の一実施の形態の全体の動作説明用フローチャートである。
【図９】図８の単独測定ステップＳ８０７の詳細説明用フローチャートである。
【図１０】図８の複数測定ステップＳ８０８の詳細説明用フローチャートである。
【図１１】液晶パネル上のグラフ表示の一例を示す図である。
【図１２】液晶パネル上のグラフ表示の他の例を示す図である。
【図１３】最初の測定を完了した後に、所定の時刻完了後まで測定値の変化が無かった場合、最初の測定で終了するときの測定値変化の一例を示す図である。
【発明を実施するための形態】
【００１７】
次に、本発明の実施の形態について図面を参照して説明する。
【００１８】
図１は、本発明になる体重測定装置の一実施の形態の上面の概観図を示す。同図において、体重測定装置１００は、上面の中央部が表示画面と操作部になっている。表示画面は、液晶パネルで構成されており、文字や画像など多彩に表示可能である。
【００１９】
上記表示画面は、モード設定をして使用する場合のモード表示部分１０１と、設定された使用者Ａの表示部１０２と、設定された使用者Ｂの表示部１０３と、使用者Ａの体重表示部分１０４と、使用者Ｂの体重表示部分１０５とからなる。
【００２０】
また、上記操作部は、ボタンＷ、ボタンＳ、ボタンＬ、ボタンＲ、使用者Ａの選択ボタン１０６、使用者Ｂの選択ボタン１０７、及び状態表示ランプ１０８からなる。ボタンＷは、２人または１人と１匹の体重を測定するモードに設定するボタンであり、このボタンＷを押すと、モード表示部分１０１に、“Ｗモード”と表示される。ボタンＳは、１人単独で測定するモードに設定するボタンであり、このボタンＳを押すと、モード表示部分１０１に、“Ｓモード”と表示される。ボタンＬは、保存された体重データを時系列的に表示するボタンであり、表示画面に図１１のようなグラフが表示される。ボタンＲは、リセットボタンであり、測定を最初からやり直すときに操作されるボタンである。
【００２１】
使用者Ａの選択ボタン１０６は、ここでは１〜８まで選択可能であり、上矢印ボタンと下矢印ボタンで表示部１０２の番号を変化させて使用者を選択するときに使用される。使用者Ｂの選択ボタン１０７は、ここでは１〜８まで選択可能であり、上矢印ボタンと下矢印ボタンで表示部１０３の番号を変化させて使用者を選択するときに使用される。状態表示ランプ１０８は、最初の測定が終了すると弱光で点灯し、次の測定が終了すると強光で点灯する。
【００２２】
図２は、本発明になる体重測定装置における重さを検出する機構部の一例の概略図を示す。図２に示すように、この機構部は直方体上の金属からなる部材にＨ型に穴をあけた構造をしており、また、その部材の所定位置に２つの歪計ＳＧ１、ＳＧ２が張り付けられている。この機構部では、矢印で示す部分に矢印方向の加重負荷がかかると、歪計ＳＧ１は伸びる方向に力が加わり、歪計ＳＧ２は、縮む方向に力がかかる。
【００２３】
図３は、本発明になる体重測定装置における重さを検出する機構部の他の例の概略図を示す。図３に示すように、この機構部は直方体上の金属からなる部材で固定部付近を薄くした構造をしており、その薄くした固定部付近の上面と下面に歪計ＳＧ１、ＳＧ２が張り付けられている。この機構部では、矢印で示す部分に矢印方向の加重負荷がかかると、歪計ＳＧ１は伸びる方向に力が加わり、歪計ＳＧ２は、縮む方向に力がかかる。
【００２４】
図４は、本発明になる体重測定装置の一実施の形態の回路系統図を示す。同図において、４０１は、図２及び図３に示した歪計ＳＧ１である。４０２は、図２及び図３に示した歪計ＳＧ２である。４０３及び４０４は、歪計４０１及び４０２とブリッジ回路を構成させるための固定抵抗である。差動増幅器４０５は、歪計４０１及び４０２の接続点の電圧と、抵抗４０３及び４０４の接続点の電圧とを差動増幅する。抵抗４０１及び４０２の抵抗値変化は極性が逆で同量となるので変化分は２倍となる。
【００２５】
ＡＤ変換器（ＡＤＣ）４０６は、差動増幅器４０５の出力電圧をアナログ-デジタル変換し、得られた電圧データを中央処理装置（ＣＰＵ）４０７へ出力する。ＣＰＵ４０７は、入力された電圧データを重量値に変換する。また、ＣＰＵ４０７は、時計（リアルタイムクロック）４０８、タイマ４０９、ランダム・アクセス・メモリ（ＲＡＭ）４１０、リード・オンリ・メモリ（ＲＯＭ）４１１、及び設定スイッチ（ＳＷ）４１２と双方向のバスを介して接続されている。
【００２６】
これにより、ＣＰＵ４０７は、時計４０８から日付・時刻を取得し、またタイマ４０９の出力を計数することにより経過時間などを計測する。ＲＡＭ４１０はＣＰＵ４０７の作業領域として使用される。ＲＯＭ４１１はＣＰＵ４０７を稼働するプログラムを記憶している。設定ＳＷ４１２は図１の各スイッチに対応したインターフェースである。また、図４において、表示回路４１３は、ＣＰＵ４０７の出力信号に応じて液晶パネル４１４に指示された文字や画像などを表示する。
【００２７】
本実施の形態の体重測定装置１００は、飼い主がペットを抱いて体重を測り、そのままペットを放置して置くと、自動的に双方の体重測定を完了するものであり、逆にまず飼い主が体重を測り、傍らのペットを抱くと同様に自動的に双方の体重測定を完了するものである。これは親と乳児との関係においても同様である。
【００２８】
図５は、体重測定の説明のための測定値の変化の一例を示す。本例では、飼い主がペットを抱いて測定し、その後にペットを放して測定したものである。縦軸は重さ（ｋｇ）であり、横軸は時間である。
【００２９】
図５において、まず、飼い主がペットを抱いて体重測定装置１００に乗ると重量測定値が高くなり、閾値１（例えば１ｋｇ程度とする）を超える（時刻ｔ１）。ＣＰＵ４０７は、重量測定値が閾値１を超えたことを検出したら、タイマ４０９の計数を開始して所定時間の経過を待つ（時刻ｔ２）。時刻ｔ２より、ＣＰＵ４０７は本計測を開始して重量測定値の変動が所定値（例えば２０ｇ程度とする）以下になったのを確認して、そのときの測定データｍ１をＲＡＭ４１０に保存する（時刻ｔ３）。保存が終了したら、ＣＰＵ４０７は重量測定値が閾値２の範囲外になるのを確認する。つまり、ＣＰＵ４０７は測定値がｍ１＋閾値２を超えるか、ｍ１−閾値２より下回るかを確認する。なお、この閾値２は、上記した所定値よりも大きな値、例えば２００ｇ程度とする。
【００３０】
図５の例では、時刻ｔ４で、ＣＰＵ４０７は重量測定値がｍ１−閾値２より下回ったので、所定時間のウェイトを行う。ウェイトを完了した時刻ｔ５後に、重量測定値の変動が所定値以下になったのを確認してその測定データｍ２をＲＡＭ４１０に保存する（時刻ｔ６）。
【００３１】
次に、別の体重測定の説明のための測定値の変化について説明する。図６は、体重測定の説明のための重量測定値の変化の他の例を示す。本例では、飼い主がまず単独で体重を測定し、その後に傍らのペットを抱き上げて体重を測定したものである。図６の縦軸は重さ（ｋｇ）であり、横軸は時間である。
【００３２】
図６において、飼い主がまず単独で体重測定装置１００に乗ると重量測定値が高くなり、閾値１を超える（時刻ｔ１１）。この時、ＣＰＵ４０７はタイマ４０９の計数を開始して所定時間の経過を待つ（時刻ｔ１２）。時刻ｔ１２より、ＣＰＵ４０７は本計測を開始して重量測定値の変動が所定値以下になったのを確認してその測定データｍ１をＲＡＭ４１０に保存する（時刻ｔ１３）。保存が終了したら、ＣＰＵ４０７は重量測定値が閾値２の範囲外になるのを確認する。つまりｍ１＋閾値２を超えるか、ｍ１−閾値２より下回るかを確認する。
【００３３】
この例では飼い主が傍らのペットを抱き上げて体重を測定する測定時刻ｔ４で、ｍ１＋閾値２を超えたので、ＣＰＵ４０７は所定時間のウェイトを行う。ウェイトを完了した時刻ｔ１５後に、ＣＰＵ４０７は重量測定値の変動が所定値以下になったのを確認してその測定データｍ２をＲＡＭ４１０に保存する（時刻ｔ１６）。
【００３４】
次に、ＣＰＵ４０７による変動幅と平均値の測定動作について、図７の測定のブロック図と共に説明する。図７は、ＣＰＵ４０７の機能動作ブロックである。ＣＰＵ４０７は重量値に変換したデータを１０個のリングメモリ７０１に書き込む。サンプリングごとに古い順に更新されて最新の１０個のデータがリングメモリ７０１上に残る。
【００３５】
サンプリングが更新されるごとに、各データより最大値検出部７０２が最大値を検出すると共に、最小値検出部７０３が最小値を検出する。変動幅検出部７０５はこれら最大値と最小値との差を求めて所定時間内の変動幅として出力する。また、平均値検出部７０４は各データより平均値を算出して出力する。本実施の形態では、０.２秒をサンプリング周期としており、２秒前までの平均値と変動幅を出力する。
【００３６】
次に、本実施の形態の体重測定装置１００の全体の動作について、図８のフローチャートと共に説明する。まず、体重測定装置１００は測定者を確定する（ステップＳ８０１）。このステップＳ８０１では、ボタン１０６により測定者Ａを選択し、ボタン１０６を押すごとに表示部１０２に番号１〜８を順次表示する。番号１〜８は個人に対応しており、事前に誰がその番号かを決めておく。同様に、ステップＳ８０１において、ボタン１０７により測定者（ペット・乳児）Ｂを選択し、ボタン１０７を押すごとに表示部１０３に番号１〜８を順次表示する。
【００３７】
次に、モードを入力する（ステップＳ８０２）。モードのうち、単独測定モード（Ｓ）と２種類（１人＋１匹）測定モード（Ｗ）とは、ボタンＷとボタンＳで設定する。入力モードはモード表示部分１０１に表示される。また、ボタンＬを押すと、ログ表示モードになり、グラフ表示を行う。そして入力モードが設定される（ステップＳ８０３）。
【００３８】
次に、体重測定装置１００は、入力モードがログデータ表示かどうかを判断する（ステップＳ８０４）。ログデータ表示モードであれば、ログデータのグラフを表示する（ステップＳ８０６）。ログデータ表示モードでない場合は、２種類測定モードかどうか判断する（ステップＳ８０５）。２種類測定モードの場合には、２種類モードの測定を実施する（ステップＳ８０８）。２種類測定モードでない場合には、単独測定を実施する（ステップＳ８０７）。
【００３９】
次に、図８のステップＳ８０７の単独測定実施ステップについて、図９のフローチャートと共に更に詳細に説明する。ＣＰＵ４０７はまず、測定を行う（ステップＳ９０１）。次に、その重量測定値が閾値１を超えたかどうかを判断する（ステップＳ９０２）。超えていない場合には、ステップＳ９０１に戻り、超えた場合には、ステップＳ９０３に進む。ステップＳ９０３では、時刻ｔ１までの所定時間を計測するため、ＣＰＵ４０７はタイマ４０９の計数を開始する。ＣＰＵ４０７はステップＳ９０４で、時刻ｔ１分の所定の計数値になったかを判断する。所定の計数値にまで至らない場合には、この判断を繰り返す。所定の重量計数値に到達した場合にはタイマ４０９の計数を停止する（ステップＳ９０５）。
【００４０】
次に、ＣＰＵ４０７は測定を行う（ステップＳ９０６）。そして、測定変動幅が所定値以下になるのを待つ（ステップＳ９０７）。これにより、体重計測初期の揺れによる影響を排除できる。測定変動幅が所定値以下になった場合、その時点の重量測定値と時計４０８から得た現在の日付及び時刻とをＲＡＭ４１０保存する（ステップＳ９０８）。そして、重量測定値である体重を表示部１０４又は１０５に表示する（ステップＳ９０９）。
【００４１】
次に、図８のステップＳ８０８の測定実施ステップについて、図１０のフローチャートと共に更に詳細に説明する。ＣＰＵ４０７はまず、測定を行う（ステップＳ１００１）。次に、その重量測定値が閾値１を超えたかどうかを判断する（ステップＳ１００２）。超えていない場合には、ステップＳ１００１に戻り、超えた場合には、ステップＳ１００３に進む。ステップＳ１００３では、時刻ｔ１までの時間を計測するため、ＣＰＵ４０７はタイマ４０９の計数を開始する。続いて、ＣＰＵ４０７はステップＳ１００４で、タイマ４０９が時刻ｔ１分の所定の計数値になったかを判断する。所定の計数値にまで至らない場合には、この判断を繰り返す。所定の計数値に達した場合には、ＣＰＵ４０７はタイマ４０９の計数を停止する（ステップＳ１００５）。
【００４２】
次に、ＣＰＵ４０７は体重を測定する（ステップＳ１００６）。そして、ＣＰＵ４０７はその重量測定値の変動幅が所定値以下になるのを待つ（ステップＳ１００７）。これにより、体重計測初期の揺れによる影響を排除できる。重量測定値の変動幅が所定値以下に入っている場合、その重量測定値（測定値１）をＲＡＭ４１０に保存する（ステップＳ１００８）。すなわち、ＣＰＵ４０７は重量測定値を所定時間毎にサンプルし、所定サンプル数の重量測定値の変動幅を検出し、その変動幅が、設定された所定値以下になった時、その重量測定値を第１の重量値（測定値１）と判定してＲＡＭ４１０に保存する。
【００４３】
次に、ＣＰＵ４０７はランプ１０８を弱点灯させて、最初の測定が完了したことを知らせる（ステップＳ１００９）。これを見て、飼い主は抱いていたペットを床に放す。または、傍らのペットを抱き上げる。
【００４４】
次に、ＣＰＵ４０７はタイマ４０９の計数を開始する（ステップＳ１０１０）。そして、重量の測定及び平均化を行う（ステップＳ１０１１）。次に、タイマ４０９の計数値が時刻ｔ７が経過した計数値であるか否かを調べる（ステップＳ１０１２）。この時刻ｔ７は、図１３に示すように、Ｗ測定設定で、１回目の測定が時刻ｔ１で終了して、次の測定を時刻ｔ２で促したにも拘らず、重量変更がなく、２回目の測定がキャンセルされたと思われる場合に対応するための時刻である。ＣＰＵ４０７は時刻ｔ７が経過したと判定した場合には、タイマ４０９の計数を停止する（ステップＳ１０２８）。続いて、ＣＰＵ４０７はそのときの重量測定値のデータと計測した日付・時刻をＲＡＭ４１０に保存する（ステップＳ１０２９）。続いて、ＣＰＵ４０７は表示部１０４または１０５に上記測定値１を表示して処理を終了する（ステップＳ１０３０）。
【００４５】
一方、ＣＰＵ４０７はステップＳ１０１２で、時刻ｔ７を経過していないと判定した場合、閾値２の範囲を超えたか否かを判断する（ステップＳ１０１３）。超えていなかった場合には、ステップＳ１０１１に戻る。超えていた場合には、ペットを下ろしたか、抱き上げたことになるので、ＣＰＵ４０７はタイマの計数を停止する（ステップＳ１０１４）。これで、時刻ｔ７に対する計数を終了する。
【００４６】
ステップＳ１０１４の後、ＣＰＵ４０７は再び、タイマ４０９の計数を開始させる（ステップＳ１０１５）。そして計数開始後、タイマ４０９の計数値が時刻ｔ２分の所定の計数値になったかを判断する（ステップＳ１０１６）。所定の計数値にまで至らない場合には、この判断を繰り返す。所定の計数値に達した場合には、ＣＰＵ４０７はタイマ４０９の計数を停止する（ステップＳ１０１７）。次に、ＣＰＵ４０７は測定を行う（ステップＳ１０１８）。そして、このときの測定値２の変動幅が所定値以下になるのを待つ（ステップＳ１０１９）。これにより体重計測初期の揺れによる影響を排除できる。すなわち、ＣＰＵ４０７は重量測定値を所定時間毎にサンプルし、所定サンプル数の測定値の変動幅を検出し、その変動幅が、設定された所定値以下になった時、その重量測定値を第２の重量値（測定値２）と判定してＲＡＭ４１０に保存する。
【００４７】
次に、ＣＰＵ４０７は測定値２が、０でないか否かを確認する（ステップＳ１０２０）。これは、最初の測定終了後に、体重測定装置１００から降りてしまった場合に対する対応処理であり、測定値２が０のときは体重計測定装置１００を降りた場合の単独測定とみなして、ステップＳ１０２９の処理に移行する。
【００４８】
一方、測定値２が０でない場合には、その測定値２をＲＡＭ４１０に保存する（ステップＳ１０２１）。続いて、ＣＰＵ４０７は測定値１と測定値２の大小を判断する（ステップＳ１０２２）。測定値１の方が大きかった場合、ステップＳ１０２３に進み、測定値２を体重１として、測定値１−測定値２を体重２とする。体重１が飼い主、体重２がペット対応となる。一方、測定値２の方が大きかった場合、ステップＳ１０２４に進み、測定値１を体重１として、測定値２−測定値１を体重２とする。体重１が飼い主、体重２がペット対応となる。すなわち、ＣＰＵ４０７はステップＳ１０２２〜Ｓ１０２４において、測定値１及び測定値２のうち値が小さい方を体重１とし、また測定値１と測定値２との差分の絶対値を体重２として算出する。
【００４９】
ステップＳ１０２３またはＳ１０２４に続いて、ＣＰＵ４０７は各体重と測定日時・時刻をＲＡＭ４１０に保存する（ステップＳ１０２５）。ＲＡＭ４１０には時系列・測定者別に順にデータが追加記憶されていく。ＲＡＭ４１０のメモリ容量がいっぱいになったら、古いデータより書き換える。次に、体重１、体重２を表示部１０４及び１０５に表示する（ステップＳ１０２６）。そして、ランプ１０８を強点灯させて、測定者に測定完了を報知して終了する（ステップＳ１０２７）。
【００５０】
このように、本実施の形態の体重測定装置によれば、飼い主単独か、ペットを抱いた飼い主かの選択設定が不要で使い易く、また、連続的かつ自動的に体重を測定するので、短時間に測定できる。更に、本実施の形態によれば、２種類の体重測定と単独の体重測定のどちらの測定も可能であり、また、それらの体重測定の順番は、どちらから測定してもよいので、ペットの状態や好みに自動対応できる。
【００５１】
次に、ボタンＬを押してログ表示モードになった場合の液晶パネル上のグラフ表示について説明する。図１１は、このログ表示モードになった場合の液晶パネル上の体重の時系列変化を示すグラフである。図１１の上半分の表示領域に表示されたグラフａは測定者１（Ａ）の体重の変化を、下半分の表示領域に表示されたグラフｂは測定者２（Ｂ）の体重の時系列変化を示す。図１１のグラフａとｂの表示は同時に行われる。ボタン１０６、１０７で表示の選択が可能である。時系列のデータを元にグラフ表示を行う。
【００５２】
図１２は、ボタンＬを更にもう１回押して、ログ表示モードになった場合の液晶パネル上の体重の変化のグラフを示す。図１２の上半分の表示領域に表示されたグラフｃは測定者１（Ａ）、下半分の表示領域に表示されたグラフｄは測定者２（Ｂ）の体重の事例列変化を示すグラフである。ボタン１０６、１０７で表示の選択が可能である。図１１は体重をｋｇ表示しているのに対し、図１２での表示は最初に測定した時の体重を１００％として、その後に測定した体重の変化を％で表示する点で相違する。図１２のグラフｃ及びｄの表示は同時に行われるので、体重の異なる両者の変化を比較することが可能になり、飼い主とペットのダイエットの進行を同時に比較することも可能になる。なお、ボタンＬは、交互動作となっており、図１１の表示と図１２の表示とが交互に切り替えられる。
【００５３】
このように、本実施の形態の体重測定装置によれば、２種類の体重（飼い主の体重とペットの体重）とを同時表示することができるので、それらの体重変化を時系列に比較できる。
【００５４】
図１３は、前述したとおり、時刻ｔ１で測定値１の保存を完了した後に、重量測定値が時刻ｔ７時点まで変化が無かった場合、時刻ｔ１で測定を終了するための測定値変化の一例を示す。この場合、時刻ｔ７後、測定を完了して、単独測定として処理を行う。これにより、Ｗモード・Ｓモード選択なしでも、それぞれの測定を自動的に行うことも可能である。
【００５５】
なお、本発明は以上の実施の形態では飼い主とペットの体重測定について説明したが、本発明はこれに限定されるものではなく、乳児とそれを抱く人間（例えば、母親、父親、あるいはその他の人間）との体重測定にも適用することができることは勿論である。
【符号の説明】
【００５６】
１００  体重測定装置
１０１  モード表示部分
１０２  設定された使用者Ａの表示部
１０３  設定された使用者Ｂの表示部
１０４  使用者Ａの体重表示部分
１０５  使用者Ｂの体重表示部分
４０１  図２及び図３に対応した歪計ＳＧ１
４０２  図２及び図３に対応した歪計ＳＧ２
４０３・４０４  歪計とブリッジ回路を構成させるための固定抵抗
４０５  差動増幅器
４０７  中央処理装置（ＣＰＵ）
４０８  時計（リアルタイムクロック）
４１０  ランダム・アクセス・メモリ（ＲＡＭ）
４１１  リード・オンリ・メモリ（ＲＯＭ）
４１２  各スイッチに対応したインターフェース
４１３  表示回路
４１４  液晶パネル
７０１  リングメモリ
７０２  最大値検出部
７０３  最小値検出部
７０４  平均値検出部
７０５  変動幅検出部
【図１】
2013113826.tif 000003
【図２】
2013113826.tif 000004
【図３】
2013113826.tif 000005
【図４】
2013113826.tif 000006
【図５】
2013113826.tif 000007
【図６】
2013113826.tif 000008
【図７】
2013113826.tif 000009
【図８】
2013113826.tif 000010
【図９】
2013113826.tif 000011
【図１０】
2013113826.tif 000012
【図１１】
2013113826.tif 000013
【図１２】
2013113826.tif 000014
【図１３】
2013113826.tif 000015